(57)【要約】      （修正有）【課題】メニュー画面の切り替えを容易に把握することができ、且つ利用者にエンターテインメント性を与えることができるカラオケ用リモコン装置を提供する。【解決手段】第１のメニュー画面及び第２のメニュー画面を記憶するメニュー画面記憶部１１ａと、所定の表示順序が設定された複数の背景画像を記憶する背景画像記憶部１１ｂと、を有する。複数の背景画像は、第１のメニュー画面に対応する第１の背景画像と、第１の背景画像よりも表示順序が後ろの背景画像であって、第２のメニュー画面に対応する第２の背景画像を含む。第１のメニュー画面から第２のメニュー画面に切り替える場合には、第１の背景画像の次の背景画像から第２の背景画像までを所定の表示順序で動的に表示させ、第２のメニュー画面から第１のメニュー画面に切り替える場合には、第２の背景画像の一つ前の背景画像から第１の背景画像までを所定の表示順序とは逆の順序で動的に表示させる。【選択図】図１
2016051243.tif 000002
【特許請求の範囲】
【請求項１】
表示部に表示されたメニュー画面に含まれる選択項目を利用者が選択することにより、上位階層のメニュー画面と下位階層のメニュー画面とを切り替えながら所定の動作を実行するカラオケ用リモコン装置において、
第１のメニュー画面及び第２のメニュー画面を記憶するメニュー画面記憶部と、
所定の表示順序が設定された複数の背景画像を記憶する背景画像記憶部と、
を有し、
前記第１のメニュー画面は前記第２のメニュー画面の選択項目に対応し、前記第２のメニュー画面は前記第１のメニュー画面の選択項目に対応し、
前記複数の背景画像は、第１のメニュー画面に対応する第１の背景画像と、前記第１の背景画像よりも前記表示順序が後ろの背景画像であって、前記第２のメニュー画面に対応する第２の背景画像を含み、
前記選択項目の選択により、前記第１のメニュー画面から前記第２のメニュー画面に切り替える場合には、前記第１の背景画像の次の背景画像から前記第２の背景画像までを前記所定の表示順序で動的に表示させ、前記第２のメニュー画面から前記第１のメニュー画面に切り替える場合には、前記第２の背景画像の一つ前の背景画像から前記第１の背景画像までを前記所定の表示順序とは逆の順序で動的に表示させる表示制御部を有することを特徴とするカラオケ用リモコン装置。
【請求項２】
前記複数の背景画像は、前記所定の表示順序で動的な表示がなされた場合に、前記表示部の奥行き方向または手前方向に移動するような表現の動画像を構成することを特徴とする請求項１記載のカラオケ用リモコン装置。
【請求項３】
前記表示制御部は、前記第１のメニュー画面から前記第２のメニュー画面に切り替える場合には、前記第１のメニュー画面を消去した後に、前記第１の背景画像の次の背景画像から前記第２の背景画像までを前記所定の表示順序で動的に表示させ、前記第２のメニュー画面から前記第１のメニュー画面に切り替える場合には、前記第２のメニュー画面を消去した後に、前記第２の背景画像の一つ前の背景画像から前記第１の背景画像までを前記所定の表示順序とは逆の順序で動的に表示させることを特徴とする請求項１または２記載のカラオケ用リモコン装置。
【請求項４】
前記表示制御部は、前記第１のメニュー画面から前記第２のメニュー画面に切り替える場合には、前記第１の背景画像の次の背景画像から前記第２の背景画像までを前記所定の表示順序で動的に表示させた後に、前記第２のメニュー画面を表示させ、前記第２のメニュー画面から前記第１のメニュー画面に切り替える場合には、前記第２の背景画像の一つ前の背景画像から前記第１の背景画像までを前記所定の表示順序とは逆の順序で動的に表示させた後に、前記第１のメニュー画面を表示させることを特徴とする請求項１〜３のいずれか一つに記載のカラオケ用リモコン装置。
【請求項５】
前記メニュー画面記憶部は、第３のメニュー画面を記憶し、
前記第１のメニュー画面は前記第３のメニュー画面の選択項目に対応し、前記第３のメニュー画面は前記第１のメニュー画面の選択項目に対応し、
前記複数の背景画像は、前記第２の背景画像よりも前記表示順序が後ろの背景画像であって、前記第３のメニュー画面に対応する第３の背景画像を含み、
前記表示制御部は、前記選択項目の選択により、前記第１のメニュー画面から前記第３のメニュー画面に切り替える場合には、前記第１の背景画像の次の背景画像から前記第３の背景画像までを前記所定の表示順序で動的に表示させ、前記第３のメニュー画面から前記第１のメニュー画面に切り替える場合には、前記第３の背景画像の一つ前の背景画像から前記第１の背景画像までを前記所定の表示順序とは逆の順序で動的に表示させることを特徴とする請求項１〜４のいずれか一つに記載のカラオケ用リモコン装置。
【請求項６】
前記表示制御部は、前記第１の背景画像の次の背景画像から前記第３の背景画像までを前記所定の表示順序で動的に表示させる時間、及び／または前記第３の背景画像の一つ前の背景画像から前記第１の背景画像までを前記所定の表示順序とは逆の順序で動的に表示させる時間が、前記第１の背景画像の次の背景画像から前記第２の背景画像までを前記所定の表示順序で動的に表示させる時間と同じになるよう、一部の背景画像を間引いて動的に表示させることを特徴とする請求項５記載のカラオケ用リモコン装置。
【発明の詳細な説明】
【技術分野】
【０００１】
本発明はカラオケ用リモコン装置に関する。
【０００２】
カラオケ装置を操作するためのリモコン（以下、「カラオケ用リモコン装置」という場合がある）やカーナビゲーションシステム等の情報処理装置がある。情報処理装置は、利用者が所望する情報（目的地や楽曲）を検索するために用いられる。
【０００３】
情報の検索は、情報処理装置の表示部に表示されるメニュー画面で行う。メニュー画面は、アイコン等で表示される様々な選択項目を含む画面である。情報処理装置は、複数のメニュー画面が階層的に構築されている。
【０００４】
たとえば、利用者が第１メニュー画面において所望のメニューを選択した場合、情報処理装置は、第１メニュー画面の下位階層に当たる第２メニュー画面を表示する。更に、利用者が第２メニュー画面において所望のメニューを選択した場合、情報処理装置は、第２メニュー画面の下位階層に当たる第３メニュー画面を表示する。このようなメニューの選択と画面の切り替えを繰り返すことにより、利用者は所望の情報を検索することができる。
【０００５】
ところで、メニュー画面におけるメニューは文字情報として提供される。よって、情報処理装置の操作に不慣れな利用者が検索を行う場合、文字情報を見ただけでは現在どの階層のメニュー画面が表示されているのか理解し難い。その結果、利用者の誤操作を招くという問題がある。
【０００６】
このような誤操作を防止するために、たとえば、特許文献１に記載の技術がある。特許文献１には、メニュー画面を階層ごとに切り替えて表示する情報表示機器において、階層ごとのメニュー画面の背景として同一形状の背景図形を用い、当該背景図形を階層の深さに応じた大きさで表示する技術が開示されている。利用者は背景図形の大きさに着目することで階層の深さを把握できる。
【先行技術文献】
【特許文献】
【０００７】
【特許文献１】特開２０１０−０２０６９３号公報
【発明の概要】
【発明が解決しようとする課題】
【０００８】
ここで、階層の移動（メニュー画面の切り替え）を把握することは、階層の深さを知る一助となる。一方、特許文献１のように背景図形の大きさを変化させたメニュー画面を表示させるだけでは、メニュー画面の切り替えを把握することは困難である。また、主に娯楽に供するカラオケ用リモコン装置は、メニュー画面の切り替えに際してエンターテインメント性が求められる。
【０００９】
本発明の目的は、メニュー画面の切り替えを容易に把握することができ、且つメニュー画面の切り替えに際して利用者にエンターテインメント性を与えることができるカラオケ用リモコン装置を提供することにある。
【課題を解決するための手段】
【００１０】
上記課題を解決するために、請求項１に係るカラオケ用リモコン装置は、表示部に表示されたメニュー画面に含まれる選択項目を利用者が選択することにより、上位階層のメニュー画面と下位階層のメニュー画面とを切り替えながら所定の動作を実行する。カラオケ用リモコン装置は、第１のメニュー画面及び第２のメニュー画面を記憶するメニュー画面記憶部と、所定の表示順序が設定された複数の背景画像を記憶する背景画像記憶部と、を有する。前記第１のメニュー画面は前記第２のメニュー画面の選択項目に対応し、前記第２のメニュー画面は前記第１のメニュー画面の選択項目に対応する。前記複数の背景画像は、第１のメニュー画面に対応する第１の背景画像と、前記第１の背景画像よりも前記表示順序が後ろの背景画像であって、前記第２のメニュー画面に対応する第２の背景画像を含む。カラオケ用リモコン装置は、前記選択項目の選択により、前記第１のメニュー画面から前記第２のメニュー画面に切り替える場合には、前記第１の背景画像の次の背景画像から前記第２の背景画像までを前記所定の表示順序で動的に表示させ、前記第２のメニュー画面から前記第１のメニュー画面に切り替える場合には、前記第２の背景画像の一つ前の背景画像から前記第１の背景画像までを前記所定の表示順序とは逆の順序で動的に表示させる表示制御部を有する。
【００１１】
このようなカラオケ用リモコン装置によれば、メニュー画面の切り替えに際して背景画像が動的に表示されることにより、メニュー画面の切り替えを容易に把握することができ、且つ利用者にエンターテインメント性を与えることができる。
【００１２】
また、上記課題を解決するために、請求項２に係るカラオケ用リモコン装置は、請求項１記載のカラオケ用リモコン装置であって、前記複数の背景画像は、前記所定の表示順序で動的な表示がなされた場合に、前記表示部の奥行き方向または手前方向に移動するような表現の動画像を構成する。
【００１３】
この場合、立体感のある動画像を表示できるため、メニュー画面の切り替えをより容易に把握することができ、且つ利用者により高いエンターテインメント性を与えることができる。
【００１４】
また、上記課題を解決するために、請求項３に係るカラオケ用リモコン装置は、請求項１または２記載のカラオケ用リモコン装置であって、前記表示制御部は、前記第１のメニュー画面から前記第２のメニュー画面に切り替える場合には、前記第１のメニュー画面を消去した後に、前記第１の背景画像の次の背景画像から前記第２の背景画像までを前記所定の表示順序で動的に表示させ、前記第２のメニュー画面から前記第１のメニュー画面に切り替える場合には、前記第２のメニュー画面を消去した後に、前記第２の背景画像の一つ前の背景画像から前記第１の背景画像までを前記所定の表示順序とは逆の順序で動的に表示させる。
【００１５】
また、上記課題を解決するために、請求項４に係るカラオケ用リモコン装置は、請求項１〜３のいずれか一つに記載のカラオケ用リモコン装置であって、前記表示制御部は、前記第１のメニュー画面から前記第２のメニュー画面に切り替える場合には、前記第１の背景画像の次の背景画像から前記第２の背景画像までを前記所定の表示順序で動的に表示させた後に、前記第２のメニュー画面を表示させ、前記第２のメニュー画面から前記第１のメニュー画面に切り替える場合には、前記第２の背景画像の一つ前の背景画像から前記第１の背景画像までを前記所定の表示順序とは逆の順序で動的に表示させた後に、前記第１のメニュー画面を表示させる。
【００１６】
これらの場合、メニュー画面の切り替え時には、表示部にメニュー画面（選択項目）が表示されず背景画像のみが表示されることから、メニュー画面の切り替えをより把握しやすくなる。
【００１７】
また、上記課題を解決するために、請求項５に係るカラオケ用リモコン装置は、請求項１〜４のいずれか一つに記載のカラオケ用リモコン装置であって、前記メニュー画面記憶部は、第３のメニュー画面を記憶する。前記第１のメニュー画面は前記第３のメニュー画面の選択項目に対応し、前記第３のメニュー画面は前記第１のメニュー画面の選択項目に対応する。前記複数の背景画像は、前記第２の背景画像よりも前記表示順序が後ろの背景画像であって、前記第３のメニュー画面に対応する第３の背景画像を含む。前記表示制御部は、前記選択項目の選択により、前記第１のメニュー画面から前記第３のメニュー画面に切り替える場合には、前記第１の背景画像の次の背景画像から前記第３の背景画像までを前記所定の表示順序で動的に表示させ、前記第３のメニュー画面から前記第１のメニュー画面に切り替える場合には、前記第３の背景画像の一つ前の背景画像から前記第１の背景画像までを前記所定の表示順序とは逆の順序で動的に表示させる。
【００１８】
このように、階層の順に関係なく、途中にある階層を飛ばしてメニュー画面を切り替える場合であっても、背景画像が動的に表示されることにより、メニュー画面の切り替えを容易に把握することができ、且つ利用者にエンターテインメント性を与えることができる。
【００１９】
また、上記課題を解決するために、請求項６に係るカラオケ用リモコン装置は、請求項５記載のカラオケ用リモコン装置であって、前記表示制御部は、前記第１の背景画像の次の背景画像から前記第３の背景画像までを前記所定の表示順序で動的に表示させる時間、及び／または前記第３の背景画像の一つ前の背景画像から前記第１の背景画像までを前記所定の表示順序とは逆の順序で動的に表示させる時間が、前記第１の背景画像の次の背景画像から前記第２の背景画像までを前記所定の表示順序で動的に表示させる時間と同じになるよう、一部の背景画像を間引いて動的に表示させる。
【００２０】
この場合、階層の順に沿って次のメニュー画面に切り替える時間と階層を飛ばしてメニュー画面を切り替える時間とが等しくなることから、メニュー画面の切り替え動作の統一感が保たれる。
【発明の効果】
【００２１】
本発明によれば、メニュー画面の切り替えを容易に把握することができ、且つメニュー画面の切り替えに際し利用者にエンターテインメント性を与えることができる。
【図面の簡単な説明】
【００２２】
【図１】実施形態に係るカラオケ用リモコン装置のシステム構成を示す図である。
【図２】実施形態に係る複数の背景画像の一例を示す図である。
【図３Ａ】実施形態に係るメニュー画面の一例を示す図である。
【図３Ｂ】実施形態に係るメニュー画面の一例を示す図である。
【図３Ｃ】実施形態に係るメニュー画面の一例を示す図である。
【図３Ｄ】実施形態に係るメニュー画面の一例を示す図である。
【発明を実施するための形態】
【００２３】
＝＝カラオケ用リモコン装置の概要＝＝
図１は、本実施形態に係るカラオケ用リモコン装置１のシステム構成例を示す図である。
【００２４】
本実施形態に係るカラオケ用リモコン装置１は、制御部１０、記憶部１１、操作部１２、表示部１３、通信部１４を含む。各構成はインターフェース（図示なし）を介してバスＢに接続されている。
【００２５】
制御部１０は、ＣＰＵ１０ａおよびメモリ１０ｂを備える。ＣＰＵ１０ａは、メモリ１０ｂに記憶された動作プログラムを実行することにより各種の制御機能を実現する。メモリ１０ｂは、ＣＰＵ１０ａにより実行されるプログラムを記憶したり、プログラムの実行時に各種情報を一時的に記憶したりする記憶装置である。
【００２６】
たとえば、ＣＰＵ１０ａがメモリ１０ｂに記憶されている所定の動作プログラムを読み出して実行することにより、制御部１０は表示制御部１００として機能する。表示制御部１００は、選択項目を有するメニュー画面に背景画像を重畳して表示部１３に表示させる。また、表示制御部１００は、メニュー画面の切り替え、及び切り替えに伴う背景画像の画像処理を行う（詳細は後述する）。
【００２７】
記憶部１１は、各種のデータを記憶するハードディスクドライブ、フラッシュメモリ等の記憶装置である。本実施形態における記憶部１１は、メニュー画面記憶部１１ａ及び背景画像記憶部１１ｂを含む。
【００２８】
メニュー画面記憶部１１ａは、カラオケ用リモコン装置１で使用される複数のメニュー画面を記憶している。各メニュー画面は少なくとも一つの選択項目を含んでいる。
【００２９】
選択項目は、たとえば「歌手名検索」、「曲名検索」、「本人映像」等、選択項目の内容を文字情報で示したアイコンとして表示される。表示部１３に表示されたメニュー画面に含まれる選択項目を利用者が選択することにより、カラオケ用リモコン装置１は上位階層のメニュー画面と下位階層のメニュー画面とを切り替えながら、楽曲の決定等の所定の動作を実行する。
【００３０】
各メニュー画面は、互いに関連付けられて階層的に構築されている。具体的には、ある階層のメニュー画面における選択項目は、他の階層のメニュー画面に対応付けられている。たとえば、選択項目を有するメニュー画面αがある場合、当該選択項目には下位階層のメニュー画面βが対応付けられている。この場合、メニュー画面βはメニュー画面αに対する下位階層のメニュー画面に相当する。また、メニュー画面αはメニュー画面βに対する上位階層のメニュー画面に相当する。
【００３１】
背景画像記憶部１１ｂは、所定の表示順序が設定された複数の背景画像を記憶する。表示制御部１００は、複数の背景画像を所定の表示順序（或いは所定の表示順序とは逆）で動的に表示させる。「動的に表示させる」とは、複数の背景画像を連続的に表示することにより、動画像（アニメーション）として表示させることをいう。すなわち、複数の背景画像は当該背景画像に描かれる模様の連続的な変化を表現した動画像を構成する。
【００３２】
複数の背景画像のうち、所定の画像はメニュー画面の背景画像として予め設定されている。所定の背景画像は、メニュー画面に重畳されることにより、選択項目の背景画像を構成する。たとえば、図２に示すように、複数の背景画像として背景画像Ｂ１〜背景画像Ｂ４５があるとする。これらの背景画像のうち、背景画像Ｂ１はメニュー画面Ｍ１に対応付けられ、背景画像Ｂ１５はメニュー画面Ｍ２に対応付けられ、背景画像Ｂ３０はメニュー画面Ｍ３に対応付けられ、背景画像Ｂ４５はメニュー画面Ｍ４に対応付けられている。図２の矢印は所定の表示順序を示している。たとえば、背景画像Ｂ１５は背景画像Ｂ１よりも表示順序が後ろの背景画像に相当する。逆に、背景画像Ｂ１は背景画像Ｂ１５よりも表示順序が前の背景画像に相当する。
【００３３】
各メニュー画面に対応付けられた背景画像は、各メニュー画面の階層の深さを直感的に把握できる画像となっている。また、メニュー画面に対応付けられた背景画像間に位置する背景画像は、あるメニュー画面の背景画像から別のメニュー画面の背景画像への連続的な変化が表現されている。たとえば、背景画像Ｂ１５には模様として地球Ｅが描かれ、背景画像Ｂ３０には模様として日本ＪＰが描かれている（図３Ｂ及び図３Ｃ参照）。この場合、利用者は、地球Ｅを拡大したものが日本ＪＰであることを容易に認識できるため、それらの模様を背景画像とするメニュー画面の階層の深さを直感的に把握できる。また、この場合、背景画像Ｂ１５と背景画像Ｂ３０との間に含まれる背景画像Ｂ１６〜背景画像Ｂ２９は、地球Ｅの全体像から徐々に日本ＪＰがズームインされるような連続的な変化が表現されている。
【００３４】
操作部１２は、カラオケ用リモコン装置１に対する指示入力を行うための構成である。操作部１２は、たとえば、装置本体に設けられたスイッチや、表示部１３に表示されるメニュー画面である。表示部１３に表示されるメニュー画面を介して指示入力を行う場合、利用者は指により直接的に入力を行ってもよいし、タッチペン等を介して間接的に入力を行ってもよい。
【００３５】
表示部１３は、各種画面や各種情報を表示するための構成である。たとえば、背景画像が重畳されたメニュー画面は表示部１３に表示される。
【００３６】
通信部１４は、外部装置との通信を行うためのインターフェースである。本実施形態におけるカラオケ用リモコン装置１は、通信部１４を介し、利用者に選択された楽曲のＩＤをカラオケ装置（図示なし）に送信する。カラオケ装置（図示なし）は、送信された楽曲のＩＤに応じた曲を読み出して放音する。
【００３７】
＝＝カラオケ用リモコン装置によるメニュー画面の切り替え＝＝
図３Ａ〜図３Ｄを参照して、メニュー画面の切り替えに伴うカラオケ用リモコン装置１の動作を説明する。図３Ａ〜図３Ｄは、表示部１３に表示されるメニュー画面Ｍ１〜メニュー画面Ｍ４に各背景画像Ｂ１、Ｂ１５、Ｂ３０、Ｂ４５を重畳した状態を示した図である。
【００３８】
この例において、メニュー画面記憶部１１ａはメニュー画面Ｍ１〜メニュー画面Ｍ４を記憶している。メニュー画面Ｍ１は、メニュー画面Ｍ２〜メニュー画面Ｍ４の上位階層の画面に相当し、メニュー画面Ｍ２〜メニュー画面Ｍ４は、メニュー画面Ｍ１の下位階層の画面に相当する。メニュー画面Ｍ２は、メニュー画面Ｍ３及びメニュー画面Ｍ４の上位階層の画面に相当し、メニュー画面Ｍ３及びメニュー画面Ｍ４は、メニュー画面Ｍ２の下位階層の画面に相当する。メニュー画面Ｍ３は、メニュー画面Ｍ４の上位階層の画面に相当し、メニュー画面Ｍ４は、メニュー画面Ｍ３の下位階層の画面に相当する。
【００３９】
また、この例において、背景画像記憶部１１ｂは、背景画像Ｂ１〜背景画像Ｂ４５を記憶している（図２参照）。これらの背景画像は、太陽系の惑星群から徐々にズームインして最終的に日本ＪＰの東京都ＴＫを示す連続した画像となっている。
【００４０】
背景画像Ｂ１は太陽系の惑星群を示す画像である。背景画像Ｂ１は、最上位階層の画面であるメニュー画面Ｍ１に対応付けられている。背景画像Ｂ１５は地球Ｅを示す画像である。背景画像Ｂ１５は検索用画面であるメニュー画面Ｍ２に対応付けられている。背景画像Ｂ３０は日本ＪＰを示す画像である。背景画像Ｂ３０は、検索結果表示用のメニュー画面Ｍ３に対応付けられている。背景画像Ｂ４５は東京都ＴＫを示す画像である。背景画像Ｂ４５は、楽曲決定用のメニュー画面Ｍ４に対応付けられている。
【００４１】
このように、背景画像として、個々の画像に示される模様は異なるが全体として関連性のある画像群を用い、その中から各メニュー画面の階層の深さに応じた背景画像を適宜対応付ける。この場合、単純な図形等を背景画像とする場合に比べ、利用者は現在表示されているメニュー画面の階層の深さを直感的に把握することができる。なお、図３Ａ〜図３Ｄにおいては、選択項目で隠れている背景画像を破線で示しているが、実際の画面上において破線部分は視認できない。
【００４２】
メニュー画面の切り替えを行う場合、制御部１０は、表示制御部１００として機能する（図１参照）。表示制御部１００は、選択項目の選択により第１のメニュー画面から第２のメニュー画面に切り替える場合には、第１の背景画像の次の背景画像から第２の背景画像までを所定の表示順序で動的に表示させる。また、表示制御部１００は、選択項目の選択により第２のメニュー画面から第１のメニュー画面に切り替える場合には、第２の背景画像の一つ前の背景画像から第１の背景画像までを所定の表示順序とは逆の順序で動的に表示させる。以下具体的に説明する。
【００４３】
＜メニュー画面Ｍ１からメニュー画面Ｍ２への切り替え＞
まず表示制御部１００はメニュー画面Ｍ１を表示部１３に表示させる（図３Ａ参照）。メニュー画面Ｍ１は、選択項目としてのアイコンＦ１〜アイコンＦ４が太陽系の惑星群の背景画像Ｂ１に重畳されて表示されている。
【００４４】
ここで、利用者はアイコンＦ１を選択したとする（図３Ａにおいてハッチングで示す）。この場合、表示制御部１００は、選択されたアイコンＦ１に対応する下位階層のメニュー画面Ｍ２をメニュー画面記憶部１１ａから読み出す。また、表示制御部１００は、背景画像Ｂ１の次の背景画像Ｂ２からメニュー画面Ｍ２に対応付けられている背景画像Ｂ１５までを背景画像記憶部１１ｂから読み出す（図２参照）。
【００４５】
表示制御部１００は、メニュー画面Ｍ１を消去した後に、背景画像Ｂ２から背景画像Ｂ１５までを所定の表示順序で動的に表示させる。この例では、太陽系の惑星群から地球Ｅに向けて徐々にズームインするようなアニメーションとして表示される。
【００４６】
表示制御部１００は、背景画像Ｂ２から背景画像Ｂ１５までを所定の表示順序で動的に表示させた後に、背景画像Ｂ１５を重畳させたメニュー画面Ｍ２を表示部１３に表示させる（図３Ｂ参照）。メニュー画面Ｍ２には、アイコンｆ１、アイコンｆ２、アイコンＦ５、及びアイコンＦ６が地球Ｅの背景画像に重畳されて表示されている。アイコンｆ１は、５０音を入力するためのボタン群である。アイコンｆ２は、アイコンｆ１で入力された文字が表示される欄である。アイコンＦ５は、アイコンｆ２で入力された文字で検索を開始するための「検索」ボタンである。アイコンＦ６は、一つ前の階層のメニュー画面Ｍ１に戻るための「戻る」ボタンである。アイコンＦ５及びアイコンＦ６は「選択項目」に相当する。
【００４７】
この例において、メニュー画面Ｍ１は「第１のメニュー画面」の一例であり、メニュー画面Ｍ２は「第２のメニュー画面」の一例である。また、背景画像Ｂ１は「第１の背景画像」の一例であり、背景画像Ｂ１５は「第２の背景画像」の一例である。
【００４８】
＜メニュー画面Ｍ２からメニュー画面Ｍ３への切り替え＞
次に、利用者は、メニュー画面Ｍ２において、アイコンＦ５を選択したとする（図３Ｂにおいてハッチングで示す）。この場合、表示制御部１００は、選択されたアイコンＦ５に対応する下位階層のメニュー画面Ｍ３をメニュー画面記憶部１１ａから読み出す。また、表示制御部１００は、背景画像Ｂ１５の次の背景画像Ｂ１６からメニュー画面Ｍ３に対応付けられている背景画像Ｂ３０までを背景画像記憶部１１ｂから読み出す（図２参照）。
【００４９】
表示制御部１００は、メニュー画面Ｍ２を消去した後に、背景画像Ｂ１６から背景画像Ｂ３０までを所定の表示順序で動的に表示させる。この例では、地球Ｅの全体像から日本ＪＰに向けて徐々にズームインするようなアニメーションとして表示される。
【００５０】
表示制御部１００は、背景画像Ｂ１６から背景画像Ｂ３０までを所定の表示順序で動的に表示させた後に、背景画像Ｂ３０を重畳させたメニュー画面Ｍ３を表示部１３に表示させる（図３Ｃ参照）。メニュー画面Ｍ３には、アイコンＦ７〜アイコンＦ１１が日本ＪＰの背景画像に重畳されて表示されている。アイコンＦ７〜アイコンＦ１０は、アイコンｆ１で入力された文字に対応する楽曲名である。アイコンＦ１１は、一つ前の階層のメニュー画面Ｍ２に戻るための「戻る」ボタンである。アイコンＦ７〜アイコンＦ１１は「選択項目」に相当する。
【００５１】
この例において、メニュー画面Ｍ２は「第１のメニュー画面」の一例であり、メニュー画面Ｍ３は「第２のメニュー画面」の一例である。また、背景画像Ｂ１５は「第１の背景画像」の一例であり、背景画像Ｂ３０は「第２の背景画像」の一例である。
【００５２】
＜メニュー画面Ｍ３からメニュー画面Ｍ４への切り替え＞
次に、利用者は、メニュー画面Ｍ３において、アイコンＦ７を選択したとする（図３Ｃにおいてハッチングで示す）。この場合、表示制御部１００は、選択されたアイコンＦ７に対応する下位階層のメニュー画面Ｍ４をメニュー画面記憶部１１ａから読み出す。また、表示制御部１００は、背景画像Ｂ３０の次の背景画像Ｂ３１からメニュー画面Ｍ４に対応付けられている背景画像Ｂ４５までを背景画像記憶部１１ｂから読み出す（図２参照）。
【００５３】
表示制御部１００は、メニュー画面Ｍ３を消去した後に、背景画像Ｂ３１から背景画像Ｂ４５までを所定の表示順序で動的に表示させる。この例では、日本ＪＰの全体像から東京ＴＫに向かって徐々にズームインするようなアニメーションとして表示される。
【００５４】
表示制御部１００は、背景画像Ｂ３１から背景画像Ｂ４５までを所定の表示順序で動的に表示させた後に、背景画像Ｂ４５を重畳させたメニュー画面Ｍ４を表示部１３に表示させる（図３Ｄ参照）。メニュー画面Ｍ４には、アイコンｆ３、アイコンｆ４、アイコンＦ１２、及びアイコンＦ１３が東京ＴＫの背景画像に重畳されて表示されている。アイコンｆ３は、メニュー画面Ｍ３で選択された楽曲に関する情報（歌手名、曲名、作曲者名等）が表示される欄である。アイコンｆ４は、アイコンｆ３に表示された楽曲のＩＤをカラオケ装置（図示なし）に転送するための「転送」ボタンである。アイコンＦ１２は、一つ前の階層のメニュー画面Ｍ３に戻るための「戻る」ボタンである。アイコンＦ１３は、最上位階層のメニュー画面Ｍ１に戻るための「ＴＯＰ」ボタンである。アイコンＦ１２及びアイコンＦ１３は「選択項目」に相当する。
【００５５】
この例において、メニュー画面Ｍ３は「第１のメニュー画面」の一例であり、メニュー画面Ｍ４は「第２のメニュー画面」の一例である。また、背景画像Ｂ３０は「第１の背景画像」の一例であり、背景画像Ｂ４５は「第２の背景画像」の一例である。
【００５６】
＜下位階層のメニュー画面から上位階層のメニュー画面への切り替え＞
上記の例とは逆に、下位階層のメニュー画面から上位階層のメニュー画面に切り替える例について述べる。たとえば、カラオケ用リモコン装置１は、メニュー画面Ｍ２に表示される「戻る」のアイコンＦ６を操作することで上位階層であるメニュー画面Ｍ１に戻ることができる（図３Ｂ参照）。
【００５７】
この場合、表示制御部１００は、選択されたアイコンＦ６に対応する上位階層のメニュー画面Ｍ１をメニュー画面記憶部１１ａから読み出す。また、表示制御部１００は、背景画像Ｂ１５の一つ前の背景画像Ｂ１４から背景画像Ｂ１までを背景画像記憶部１１ｂから読み出す（図２参照）。
【００５８】
表示制御部１００は、メニュー画面Ｍ２を消去した後に、背景画像Ｂ１４から背景画像Ｂ１までを動的に表示させる。この場合、背景画像の動的な表示は、所定の表示順序とは逆の順序でおこなわれることになる。この例では、地球Ｅの全体像から徐々に太陽系の惑星群にズームアウトするようなアニメーションとして表示される。
【００５９】
表示制御部１００は、背景画像Ｂ１４から背景画像Ｂ１までを所定の表示順序とは逆の順序で動的に表示させた後に、背景画像Ｂ１を重畳させたメニュー画面Ｍ１を表示部１３に表示させる（図３Ａ参照）。なお、アイコンＦ６と同じ「戻る」のアイコンＦ１１及びアイコンＦ１２が選択された場合（図３Ｃ及び図３Ｄ参照）も同様の処理となるため、詳細な説明は省略する。
【００６０】
このように、本実施形態におけるカラオケ用リモコン装置１によれば、メニュー画面の切り替え時に複数の背景画像を動的に表示するため、メニュー画面の切り替えを把握しやすい。また、背景画像の動的な表示を行うことにより、メニュー画面の切り替えに際して利用者はエンターテインメント性を得ることができる。
【００６１】
また、メニュー画面を消去した後に背景画像を動的に表示させる場合や動的な表示が完了した後に切り替え先のメニュー画面を表示させる場合には、選択項目が背景画像に重畳されることがない。よって、背景画像に基づく動画像が視認しやすくなる。すなわち、メニュー画面が切り替わることを利用者により強く印象付けることができる。
【００６２】
更に、太陽系の惑星群から東京都ＴＫまでの背景画像のように、所定の表示順序で動的に表示させることにより表示部１３の奥行き方向に移動するような表現をなす背景画像を用いた場合、立体感のある動画像を提供できる。よって、利用者はメニュー画面の切り替わりをより強く認識することができる。また、このような背景画像を所定の表示順序とは逆の順序で表示させた場合には、表示部１３の手前方向に移動するような表現をなす立体感のある動画像を提供できる。
【００６３】
なお、複数の背景画像について、上記例では所定の表示順序で動的な表示がなされた場合に、表示部の奥行き方向に移動するような表現の動画像を構成する画像であったがこれに限られない。たとえば、複数の背景画像について、所定の表示順序で動的な表示がなされた場合に、表示部１３の手前方向に移動するような表現の動画像を構成するものでもよい。更に、複数の背景画像は、所定の表示順序で動的な表示がなされた場合に、画面の上下方向または左右方向に移動するような表現の動画像を構成するものでもよい。
【００６４】
また、上記例では表示制御部１００は、メニュー画面を消去した後に背景画像を動的に表示させ、動的な表示が完了した後に切り替え先のメニュー画面を表示させる例について述べたがこれに限られない。すなわち、メニュー画面を消去しない状態で背景画像を動的に表示させてもよいし、動的な表示が完了する前に切り替え先のメニュー画面を表示させてもよい。
【００６５】
＜メニュー画面Ｍ４からメニュー画面Ｍ１への切り替え＞
上記例では、隣り合う階層間でメニュー画面を切り替える例について述べたがこれに限られない。たとえば、図３Ｄに示すように、メニュー画面Ｍ４にはメニュー画面Ｍ１に戻るための「ＴＯＰ」アイコンＦ１３が表示される。アイコンＦ１３は、利用者が選択した場合、メニュー画面Ｍ２及びメニュー画面Ｍ３を介さず、一気に最上位階層であるメニュー画面Ｍ１に戻るように設定されている（アイコンＦ１３はメニュー画面Ｍ１に対応付けられている）。
【００６６】
この場合、表示制御部１００は、選択されたアイコンＦ１３に対応する上位階層のメニュー画面Ｍ１をメニュー画面記憶部１１ａから読み出す。また、表示制御部１００は、背景画像Ｂ４５の一つ前の背景画像Ｂ４４から背景画像Ｂ１までを背景画像記憶部１１ｂから読み出す（図２参照）。
【００６７】
表示制御部１００は、メニュー画面Ｍ４を消去した後に、背景画像Ｂ４４から背景画像Ｂ１までを所定の表示順序とは逆の順序で動的に表示させる。この例では、東京ＴＫの全体像から徐々に太陽系の惑星群までズームアウトするようなアニメーションとして表示される。なお、動的に表示される背景画像には、メニュー画面Ｍ２及びメニュー画面Ｍ３に対応付けられた背景画像Ｂ１５及び背景画像Ｂ３０も含まれる。すなわち、この例では切り替えの途中の階層に位置するメニュー画面Ｍ２及びメニュー画面Ｍ３（背景画像Ｂ１５及び背景画像Ｂ３０）を表示させることなく、一気にメニュー画面Ｍ１（背景画像Ｂ１）を表示させる。
【００６８】
表示制御部１００は、背景画像Ｂ４４から背景画像Ｂ１までを所定の表示順序とは逆の順序で動的に表示させた後に、背景画像Ｂ１を重畳させたメニュー画面Ｍ１を表示部１３に表示させる（図３Ａ参照）。
【００６９】
この例において、メニュー画面Ｍ１は「第１のメニュー画面」の一例であり、メニュー画面Ｍ４は「第３のメニュー画面」の一例である。また、背景画像Ｂ１は「第１の背景画像」の一例であり、背景画像Ｂ４５は「第３の背景画像」の一例である。なお、第３のメニュー画面は、第２のメニュー画面よりも下位階層のメニュー画面であり、メニュー画面記憶部１１ａに記憶されている。第３の背景画像は、第２の背景画像よりも表示順序が後ろの背景画像である。
【００７０】
更に、たとえば、メニュー画面Ｍ３にも「ＴＯＰ」ボタンがある場合、メニュー画面Ｍ１は「第１のメニュー画面」の一例であり、メニュー画面Ｍ３は「第３のメニュー画面」の一例となる。そして、背景画像Ｂ１は「第１の背景画像」の一例であり、背景画像Ｂ３０は「第３の背景画像」の一例となる。
【００７１】
なお、メニュー画面Ｍ４からメニュー画面Ｍ１への切り替えのように、階層を越えての切り替えは下位階層から上位階層に切り替える場合に限らない。
【００７２】
すなわち、メニュー画面Ｍ１においてアイコンＦ４を選択した場合にメニュー画面Ｍ４が表示されるように設定されているとする（アイコンＦ４はメニュー画面Ｍ４に対応付けられている）。この場合、表示制御部１００は、選択されたアイコンＦ４に対応する下位階層のメニュー画面Ｍ４をメニュー画面記憶部１１ａから読み出す。また、表示制御部１００は、背景画像Ｂ１の次の背景画像Ｂ２から背景画像Ｂ４５までを背景画像記憶部１１ｂから読み出す（図２参照）。
【００７３】
表示制御部１００は、メニュー画面Ｍ１を消去した後に、背景画像Ｂ２から背景画像Ｂ４５までを所定の表示順序で動的に表示させる。この例では、太陽系の惑星群から東京ＴＫに向かって徐々にズームインするようなアニメーションとして表示される。
【００７４】
表示制御部１００は、背景画像Ｂ２から背景画像Ｂ４５までを所定の表示順序で動的に表示させた後に、背景画像Ｂ４５を重畳させたメニュー画面Ｍ４を表示部１３に表示させる（図３Ｄ参照）。
【００７５】
このように、階層の順に関係なくメニュー画面を切り替える場合であっても、背景画像を動的に表示させることにより、メニュー画面の切り替えを容易に把握することができる。また、動的な表示を行うことにより、メニュー画面の切り替えに際して利用者はエンターテインメント性を得ることができる。
【００７６】
また、表示制御部１００は、第１の背景画像の次の背景画像から第３の背景画像までを所定の表示順序で動的に表示させる時間、及び／または第３の背景画像の一つ前の背景画像から第１の背景画像までを所定の表示順序とは逆の順序で動的に表示させる時間が、第１の背景画像の次の背景画像から第２の背景画像までを所定の表示順序で動的に表示させる時間と同じになるよう、一部の背景画像を間引いて動的に表示させることでもよい。
【００７７】
たとえば、表示制御部１００は、背景画像Ｂ１の次の背景画像Ｂ２から背景画像Ｂ４５までを所定の表示順序で動的に表示させる時間が、背景画像Ｂ１の次の背景画像Ｂ２から背景画像Ｂ１５までを所定の表示順序で動的に表示させる時間と同じになるよう、一部の背景画像を間引いて動的に表示させる。また、表示制御部１００は、背景画像Ｂ４５の一つ前の背景画像Ｂ４４から背景画像Ｂ１までを所定の表示順序とは逆の順序で動的に表示させる時間が、背景画像Ｂ１の次の背景画像Ｂ２から背景画像Ｂ１５までを所定の表示順序で動的に表示させる時間と同じになるよう、一部の背景画像を間引いて動的に表示させる。
【００７８】
具体的には、背景画像Ｂ１の次の背景画像Ｂ２から背景画像Ｂ１５までを所定の表示順序で動的に表示させる時間が０．５秒だとする。この場合、表示制御部１００は、背景画像Ｂ２から背景画像Ｂ４５までを所定の表示順序で動的に表示させる時間が０．５秒となるよう、たとえば、１枚おきに背景画像を間引いたのち、残りの背景画像を動的に表示させる。但し、切り替え先のメニュー画面Ｍ４に重畳する背景画像Ｂ４５は間引かない。また、表示制御部１００は背景画像Ｂ４４から背景画像Ｂ１までを所定の表示順序とは逆の順序で動的に表示させる時間が０．５秒となるよう、たとえば、１枚おきに背景画像を間引いたのち、残りの背景画像を動的に表示させる。但し、切り替え先のメニュー画面Ｍ１に重畳する背景画像Ｂ１は間引かない。
【００７９】
このように、階層の順に沿って次のメニュー画面に切り替える時間と、階層の順に関係なく、途中にある階層を飛ばしてメニュー画面を切り替える時間とを等しくすることにより、メニュー画面の切り替え動作の統一感が保たれる。
【００８０】
上記実施形態は、例として提示したものであり、発明の範囲を限定するものではない。また、上記の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００８１】
１  カラオケ用リモコン装置
１０  制御部
１１  記憶部
１１ａ  メニュー画面記憶部
１１ｂ  背景画像記憶部
１２  操作部
１３  表示部
１４  通信部
１００  表示制御部
【図１】
2016051243.tif 000003
【図３Ａ】
2016051243.tif 000004
【図３Ｂ】
2016051243.tif 000005
【図３Ｃ】
2016051243.tif 000006
【図３Ｄ】
2016051243.tif 000007
【図２】
2016051243.tif 000008